(57)【要約】【課題】  着信報知の方法を切り替えるために携帯状態を判定する基準値を適切に決定できる携帯電話装置を提供する。【解決手段】  操作部１２により指示された携帯電話装置の各携帯状態毎に、検出部１０を構成する圧力センサーにより測定された外表面各部の標準的な圧力値から演算部２８が基準圧力値を決定する。次に、ある携帯状態での携帯電話装置の外表面にかかる圧力値が圧力センサーにより検出され、この値から当該携帯状態の平均圧力値を演算部２８が算出する。この平均圧力値と基準圧力値との比較により判断される携帯状態に基づき、判定部２６がリンガー３２の抑制制御を行うか否かを判定し、抑制制御を行う場合には、抑制部１４がリンガー３２を抑制して鳴音を停止させる。【選択図】        図１
2005136845.tif 000002
【特許請求の範囲】
【請求項１】
着信をバイブレータの振動またはリンガー等の鳴音の一方または双方で報知する携帯電話装置であって、
携帯電話装置の外表面に設けられた圧力センサーと、
所定の基準圧力値を格納した記憶部と、
前記圧力センサーの検出圧力値と前記記憶部に格納された所定の基準圧力値とに基づいて抑制信号を出力する抑制制御部と、
前記抑制制御部からの抑制信号に応じてリンガーを抑制する抑制手段と、を備え、
前記記憶部に格納された所定の基準圧力値は、予め使用者が指示した携帯電話装置の携帯状態毎に前記圧力センサーにより圧力測定を実施して決定されることを特徴とする携帯電話装置。
【請求項２】
請求項１記載の携帯電話装置において、前記所定の基準圧力値は、携帯電話装置の携帯状態毎に前記圧力センサーにより測定した圧力値のヒストグラムを求め、その最頻値とすることを特徴とする携帯電話装置。
【請求項３】
請求項１または請求項２記載の携帯電話装置において、前記抑制制御部は、前記圧力センサーから出力される複数回分の検出圧力と前記所定の基準圧力値とに基づいて前記抑制信号を出力することを特徴とする携帯電話装置。
【請求項４】
請求項１から請求項３のいずれか一項記載の携帯電話装置において、前記圧力センサーは、携帯状態において外表面を形成する異なる複数の面のうちいずれか少なくとも１つに設けられていることを特徴とする携帯電話装置。
【請求項５】
着信をバイブレータの振動またはリンガーの鳴音の一方または双方で報知する携帯電話装置であって、
携帯電話装置の携帯状態を数値として検出する携帯状態検出手段と、
所定の携帯状態を表す基準値を格納した記憶部と、
前記携帯状態検出手段の検出値と前記記憶部に格納された所定の基準値とに基づいて抑制信号を出力する抑制制御部と、
前記抑制制御部からの抑制信号に応じてリンガーを抑制する抑制手段と、を備え、
前記記憶部に格納された所定の基準値は、予め使用者が指示した携帯電話装置の携帯状態毎に前記携帯状態検出手段により携帯状態の測定を実施して決定されることを特徴とする携帯電話装置。
【発明の詳細な説明】
【技術分野】
【０００１】
本発明は携帯電話装置、特に着信報知方法が改良された携帯電話装置に関する。
【背景技術】
【０００２】
従来より、セルラー、ＰＨＳ等の携帯電話装置においては、着信報知を、リンガー等による着信音又はバイブレータによる振動によって行っている。バイブレータは、いわゆるマナーモードにおいて使用されるが、電車やバスの車内等騒音の多い環境で携帯電話装置を携帯している場合には、着信音によるよりも振動によった方がより確実に着信を報知できる場合もある。例えば、使用者が携帯電話装置を把持していたりズボンのポケット等に入れている場合には振動によるほうが確実な着信報知ができる。
【０００３】
しかし、上記リンガー等による着信音又はバイブレータによる振動の切替は、使用者がマニュアル操作により行っているので、切替を忘れて本来バイブレータによった方が確実な着信報知が期待できる場合に着信音による着信報知が行われる場合もあった。このため、使用者による携帯電話装置の携帯状態を判定し、これに基づき上記リンガー等による着信音又はバイブレータによる振動の切替を行うことが好適である。下記特許文献１には、使用者による携帯電話装置の携帯状態を、温度センサーにより検出した温度により判定する技術が開示されている。
【特許文献１】特開平１０−１３６４４４号公報
【発明の開示】
【発明が解決しようとする課題】
【０００４】
しかし、上記従来の温度センサーにより検出した温度により携帯状態を判定する場合、判定のための基準温度の設定値を適切に決定することが困難であるという問題があった。
【０００５】
本発明は、上記従来の課題に鑑みなされたものであり、その目的は、着信報知の方法を切り替えるために携帯状態を判定する基準値を適切に決定できる携帯電話装置を提供することにある。
【課題を解決するための手段】
【０００６】
上記目的を達成するために、本発明は、着信をバイブレータの振動またはリンガー等の鳴音の一方または双方で報知する携帯電話装置であって、携帯電話装置の外表面に設けられた圧力センサーと、所定の基準圧力値を格納した記憶部と、前記圧力センサーの検出圧力値と前記記憶部に格納された所定の基準圧力値とに基づいて抑制信号を出力する抑制制御部と、前記抑制制御部からの抑制信号に応じてリンガーを抑制する抑制手段と、を備え、前記記憶部に格納された所定の基準圧力値は、予め使用者が指示した携帯電話装置の携帯状態毎に前記圧力センサーにより圧力測定を実施して決定されることを特徴とする。
【０００７】
ここで、上記所定の基準圧力値は、携帯電話装置の携帯状態毎に前記圧力センサーにより測定した圧力値のヒストグラムを求め、その最頻値とするのが好適である。
【０００８】
また、上記抑制制御部は、前記圧力センサーから出力される複数回分の検出圧力と前記所定の基準圧力値とに基づいて前記抑制信号を出力することを特徴とする。
【０００９】
また、上記圧力センサーは、携帯状態において外表面を形成する異なる複数の面のうちいずれか少なくとも１つに設けられているのが好適である。
【００１０】
また、本発明は、着信をバイブレータの振動またはリンガーの鳴音の一方または双方で報知する携帯電話装置であって、携帯電話装置の携帯状態を数値として検出する携帯状態検出手段と、所定の携帯状態を表す基準値を格納した記憶部と、前記携帯状態検出手段の検出値と前記記憶部に格納された所定の基準値とに基づいて抑制信号を出力する抑制制御部と、前記抑制制御部からの抑制信号に応じてリンガーを抑制する抑制手段と、を備え、前記記憶部に格納された所定の基準値は、予め使用者が指示した携帯電話装置の携帯状態毎に前記携帯状態検出手段により携帯状態の測定を実施して決定されることを特徴とする。
【発明の効果】
【００１１】
本発明によれば、予め使用者が指示した携帯電話装置の携帯状態毎に圧力センサーにより圧力測定を実施して所定の基準圧力値を決定するので、基準圧力値を適切に決定できる。
【発明を実施するための最良の形態】
【００１２】
以下、本発明を実施するための最良の形態（以下、実施形態という）を、図面に従って説明する。
【００１３】
図１には、本発明にかかる携帯電話装置の実施形態の構成例を示すブロック図である。図１において、携帯電話装置は、検出部１０、操作部１２、抑制部１４、通信部１６、記憶部２０、表示部２１及び制御部２２により構成される。
【００１４】
検出部１０は、例えば圧力センサー等により構成され、携帯電話装置の携帯状態を判定するためのデータを取得するものである。この場合の圧力センサーは、携帯電話装置の外表面に複数設けられ、携帯電話装置の携帯状態に応じて外表面各部の圧力値を検出する。なお、検出部１０としては、圧力センサーに限られるものではなく、傾斜センサー等も使用することができる。また、携帯電話装置の携帯状態としては、例えば手で把持していたり、ズボンのポケットに入れていたり、鞄に入れていたり、机の上に置いていたり等があるが、本発明では、圧力センサーにかかる圧力が高い状態である手で把持している状態とズボンのポケットに入れている状態等の区別、及びこれらとその他の圧力の低い状態との区別のために検出部１０が使用される。
【００１５】
操作部１２は、例えば携帯電話装置の操作ボタン等により構成され、使用者が携帯電話装置に対して各種操作をするために使用する。なお、後述するように、使用者が携帯電話装置の携帯状態を指示するための操作も操作部１２から行う。
【００１６】
抑制部１４は、リンガー３２を抑制して鳴音を停止または減衰させるものであり、リンガー３２からバイブレータ３４への切替装置、リンガー３２の停止装置またはリンガー３２の鳴音の減衰装置等で構成される。なお、鳴音を発生する装置としては、上記リンガー３２に限られず、着信を報知するための音を発生する装置ならいずれも使用できる。このような装置には、例えば着信報知用のメロディを発生する装置等が含まれる。
【００１７】
通信部１６は、公知の方法により携帯電話等の基地局との通信を行ものである。通信部１６には、アンテナ１８が含まれる。
【００１８】
記憶部２０は、例えば公知のＲＡＭ、磁気記憶媒体等で構成されており、後述する基準圧力値等の各種データが記憶されている。
【００１９】
表示部２１は、例えば液晶ディスプレイ等で構成され、文字、図形等を表示するユーザーインターフェースとして機能する。
【００２０】
制御部２２は、検出部１０、操作部１２、抑制部１４、通信部１６、記憶部２０及び表示部２１とデータのやり取りを行いながらこれらの動作を制御する。この制御部２２は、ＣＰＵを中心として構成されたコンピュータであってよく、この場合、メモリカードその他の媒体に格納されたプログラムをＣＰＵが実行することで制御部２２の各機能が実現される。
【００２１】
制御部２２の抑制制御部２４、判定部２６及び演算部２８は、主として検出部１０、抑制部１４及び記憶部２０を制御し、リンガー３２の鳴音の抑制制御を行う。通信制御部３０は、主として通信部１６を制御して、携帯電話装置の発信機能、受信機能及び通話機能を実現する。表示制御部３１は、主として表示部２１に表示される内容を制御する。
【００２２】
図２には、本発明にかかる携帯電話装置の実施形態の斜視図が示される。図２において、携帯電話装置が携帯状態である場合、すなわち折り畳み可能な携帯電話装置では折り畳まれた状態で外表面を形成する異なる複数の面には、検出部１０としての複数の圧力センサーが設けられている。本実施形態の場合、携帯電話装置の前面（ＰＦ）、裏面（ＰＢ）、２つの側面（ＰＳ１、ＰＳ２）の４か所に圧力センサーが設けられている。この圧力センサーは、携帯電話装置の携帯状態を判定するための圧力値を検出するために使用される。例えば、携帯電話装置が手で把持されている場合、ズボンのポケットに入れられている場合、鞄の中に入れられている場合等その携帯状態に応じて各圧力センサーが検出する圧力値はそれぞれ異なった値となる。従って、各圧力センサーによる圧力の検出値の組み合わせにより、携帯電話装置の携帯状態を判定することができる。なお、圧力センサーは上記４か所に限られるものではなく、携帯電話装置の携帯状態を判定するための圧力値を検出できる位置であれば、上記外表面を形成する異なる複数の面のうちいずれか少なくとも１つに設けられていればよい。
【００２３】
また、上記圧力センサーは、リンガー３２の抑制制御を行う際に使用する基準圧力値の決定にも使用される。基準圧力値は、携帯電話装置の携帯状態毎の標準的な圧力値であり、ある携帯状態において上述したように各圧力センサーが検出した圧力値と比較され、携帯状態の判定に使用される。この基準圧力値は、予め使用者が指示した携帯電話装置の携帯状態毎に検出部１０としての圧力センサーにより圧力測定を実施して決定される。使用者による携帯電話装置の携帯状態の指示は、操作部１２を構成する操作ボタンに携帯状態指示機能を持たせ、この操作ボタンを操作することにより実行する。例えば、操作ボタンの操作により、表示部２１に、「手で把持」、「ズボンのポケットの中」、「その他」等の表示を出させ、使用者が基準圧力値の測定時の携帯状態を選択して携帯電話装置の携帯状態の指示を行う。携帯電話装置が携帯状態の指示を受けると、その指示のタイミングで、あるいはそのタイミングから所定時間経過後に圧力センサーが測定した圧力値が指示された携帯状態とともに記憶部２０に記憶される。このように記憶部２０に記憶された圧力値により、演算部２８がヒストグラムを作成し、その最頻値を基準圧力値として記憶部２０に記憶する。基準圧力値をヒストグラムの最頻値とするのは、最も高い頻度で測定された圧力値が当該携帯状態の標準的な圧力値と考えられるからである。なお、ヒストグラムを作成せず、演算部２８が同じ携帯状態における圧力値の平均値を算出し、基準圧力値としてもよい。
【００２４】
また、上記携帯電話装置の携帯状態の指示は、必ずしも操作ボタンによる必要はない。図３には、携帯状態の指示装置の変形例が示される。図３において、携帯電話装置のアンテナ１８は、アンテナ収容部３６に収容されている。このアンテナ収容部３６の収容口の周縁部には、圧力スイッチ３８が設けられ、アンテナ１８をアンテナ収容部３６に収容した状態でさらに強く押すと、アンテナ１８の鍔部４０により圧力スイッチ３８が押圧され、スイッチが入るように構成しておく。このような構成とした上で、使用者がアンテナ１８により圧力スイッチ３８を押圧したタイミングで、あるいはそのタイミングから所定時間経過後に、検出部１０としての圧力センサーにより圧力測定を実施し、この値から上述したようにして基準圧力値を決定する。
【００２５】
図４には、以上に述べた本実施形態にかかる携帯電話装置の着信報知の動作のフロー図が示される。なお、以下に説明するフローは、媒体に格納されたプログラムをＣＰＵが実行して実現してもよい。図４において、着信の待ち受け状態から携帯電話装置に着信があると（Ｓ１）、判定部２６がマナーモード設定中であるか否かを判定する（Ｓ２）。
【００２６】
マナーモードに設定されていない場合、判定部２６が記憶部２０から基準圧力値を読み出して取得する（Ｓ３）。
【００２７】
次に、そのときの携帯電話装置の携帯状態における圧力の検出値が、各圧力センサーにより所定回数読み出され、記憶部２０の所定領域に記憶される（Ｓ４、Ｓ５）。記憶部２０に記憶された圧力の検出値は、演算部２８が読み出し、各圧力センサー毎に平均圧力値を算出する（Ｓ６）。判定部２６は、平均圧力値と基準圧力値とに基づき、リンガー３２の抑制制御を行うか否かを判定する（Ｓ７）。なお、この場合の判定には、上記平均圧力値の他、所定回数の圧力測定値の和等も使用できる。このときには、基準圧力値も圧力測定値の和に対応する値に修正して使用される。抑制制御を行う場合には、抑制制御部２４が抑制部１４に抑制信号を出力し、リンガー３２の鳴音を抑制させる。この抑制制御には、前述したように、リンガー３２からバイブレータ３４への切替も含まれる（Ｓ８）。また、抑制制御を行わない場合には、リンガー３２により着信報知を行う（Ｓ９）。
【００２８】
なお、Ｓ２においてマナーモードが設定されている場合にも、バイブレータ３４による着信報知を行う（Ｓ８）。
【００２９】
図５には、図４のＳ７において抑制制御を行うか否かを判定する場合の具体例のフロー図が示される。図５に記載されたＡｖｅは、図４のＳ６で求めた各圧力センサー毎の平均圧力値を示し、Ｒｅｆは、各圧力センサー毎の基準圧力値を示している。また、基準圧力値の各々に付された［０］は手で把持している携帯状態を、［１］はズボンのポケットに入れている携帯状態をそれぞれ示している。
【００３０】
図５において、図２の４つの圧力センサーのそれぞれの平均圧力値Ａｖｅ＿ＰＦ、Ａｖｅ＿ＰＢ、Ａｖｅ＿ＰＳ１、Ａｖｅ＿ＰＳ２が、手で把持している場合の携帯状態の基準圧力値Ｒｅｆ＿ＰＦ［０］、Ｒｅｆ＿ＰＢ［０］、Ｒｅｆ＿ＰＳ１［０］、Ｒｅｆ＿ＰＳ２［０］と略一致（≒）するか否かを判定部２６が判定する（Ｓ１０）。ここで略一致とは、例えば平均圧力値が基準圧力値の０．８〜１．２の範囲にあることをいう。なお、この範囲は、携帯電話装置の携帯状態の判定精度等を勘案して適宜決定できる。Ｓ１０の条件が全て満たされる場合は、携帯電話装置が手で把持されていると判断できるので、バイブレータ３４による着信報知を行う（Ｓ１１）。
【００３１】
また、Ｓ１０の条件が全て満たされているといえない場合は、４つの平均圧力値が、ズボンのポケットに入れている携帯状態の基準圧力値Ｒｅｆ＿ＰＦ［１］、Ｒｅｆ＿ＰＢ［１］、Ｒｅｆ＿ＰＳ１［１］、Ｒｅｆ＿ＰＳ２［１］と略一致（≒）するか否かを判定部２６が判定する（Ｓ１２）。Ｓ１２の条件が全て満たされる場合は、携帯電話装置がズボンのポケットに入れられていると判断できるので、バイブレータ３４による着信報知を行う（Ｓ１１）。
【００３２】
Ｓ１２の条件が全て満たされているといえない場合は、携帯電話装置の２つの側面の圧力センサーの平均圧力値Ａｖｅ＿ＰＳ１、Ａｖｅ＿ＰＳ２が、それぞれに対する手で把持している場合の携帯状態の基準圧力値Ｒｅｆ＿ＰＳ１［０］、Ｒｅｆ＿ＰＳ２［０］と略一致（≒）するか否か、及びＡｖｅ＿ＰＳ１とＡｖｅ＿ＰＳ２とが略一致（≒）するか否かを判定部２６が判定する（Ｓ１３）。Ａｖｅ＿ＰＳ１とＡｖｅ＿ＰＳ２とが略一致する場合は、手による把持の状態である可能性が高く、且つそれらが基準圧力値Ｒｅｆ＿ＰＳ１［０］、Ｒｅｆ＿ＰＳ２［０］と略一致であれば、携帯電話装置をその２つの側面から手により把持していると判断できるので、バイブレータ３４による着信報知を行う（Ｓ１１）。
【００３３】
以上いずれの場合にも該当しない場合は、リンガー３２の抑制制御を行わず、リンガー３２による着信報知を行う（Ｓ１４）。手による把持又はズボンのポケットに入れている場合以外の携帯状態では、バイブレータ３４では確実な着信報知が期待できないからである。本実施例によれば、携帯電話使用者の携帯状態に応じて着信通知手段を自動的に適切な手段に切り替えることができ、確実な着信報知をすることができる。
【００３４】
なお、以上に述べた実施形態では、携帯電話装置の携帯状態を検出する携帯状態検出手段として圧力センサーを使用する例を説明したが、携帯電話装置の携帯状態を数値として検出できるものであれば、特に限定されるものではない。例えば、傾斜センサーを使用し、携帯電話装置の傾斜角度により携帯状態を判定してもよい。
【図面の簡単な説明】
【００３５】
【図１】本発明にかかる携帯電話装置の実施形態の構成例を示すブロック図である。
【図２】本発明にかかる携帯電話装置の実施形態の斜視図である。
【図３】本発明にかかる携帯電話装置の携帯状態の指示装置の変形例を示す図である。
【図４】図１、図２に示された実施形態にかかる携帯電話装置の着信報知の動作のフロー図である。
【図５】図４のＳ７において抑制制御を行うか否かを判定する場合の具体例のフロー図である。
【符号の説明】
【００３６】
１０  検出部、１２  操作部、１４  抑制部、１６  通信部、１８  アンテナ、２０  記憶部、２１  表示部、２２  制御部、２４  抑制制御部、２６  判定部、２８  演算部、３０  通信制御部、３１  表示制御部、３２  リンガー、３４  バイブレータ、３６  アンテナ収容部、３８  圧力スイッチ、４０  鍔部。
【図１】
2005136845.tif 000003
【図２】
2005136845.tif 000004
【図３】
2005136845.tif 000005
【図４】
2005136845.tif 000006
【図５】
2005136845.tif 000007